(57)【要約】【課題】リブ付きアウトソールおよびノッチ入りミッドソールを有する履物物品を提供すること。【解決手段】履物物品用ソールは、長手方向リブを有するアウトソールと、アウトソール上方に配設され、ノッチを定めるミッドソールとを含む。長手方向リブは、ノッチ内に配設される。【特許請求の範囲】
【請求項１】
履物物品用ソールであって、ソールが、
アウトソールであって、アウトソールの前足部横区分に配設された第１の突起と、アウトソールの後足部中央区分に配設された第２の突起とを備えており、第１および第２の突起がそれぞれ、アウトソールの上面で突出している、アウトソールと、
アウトソールの上方に配設されたミッドソールであって、ミッドソールの前足部横区分に配設された第１のノッチと、ミッドソールの後足部中央区分に配設された第２のノッチとを定めるミッドソールと、
を備えており、第１の突起が第１のノッチに配設され、第２の突起が第２のノッチに配設される、ソール。
【請求項２】
第１および第２の突起が、アウトソールの材料と同じ材料を備えている、請求項１に記載のソール。
【請求項３】
第１および第２の突起が、アウトソールの一体部分である、請求項１に記載のソール。
【請求項４】
第１および第２の突起がゴムポッドである、請求項１に記載のソール。
【請求項５】
第１および第２の突起が、アウトソールに挿入された別個の構成要素である、請求項１に記載のソール。
【請求項６】
第１および第２の突起が長手方向突起である、請求項１に記載のソール。
【請求項７】
第１および第２の突起が湾曲している、請求項１に記載のソール。
【請求項８】
アウトソールが複数の開口を定める、請求項１に記載のソール。
【請求項９】
第１および第２の突起が、アウトソールの上面にある２つの突起だけである、請求項１に記載のソール。
【請求項１０】
第１および第２の突起、ならびに第１および第２のノッチを配置することによって、ソールの前足部横区分および後足部中央区分において、ソールに横方向安定性が付与される、請求項１に記載のソール。
【請求項１１】
履物物品であって、
アッパーと、
アッパーに結合されたミッドソールであって、ミッドソールの前足部横区分に配設された第１のノッチと、ミッドソールの後足部中央区分に配設された第２のノッチとを定めるミッドソールと、
ミッドソールに結合されたアウトソールであって、アウトソールの前足部横区分に配設された第１の突起と、アウトソールの後足部中央区分に配設された第２の突起とを備えており、第１および第２の突起がそれぞれ、アウトソールの上面で突出している、アウトソールと、
を備えており、第１の突起が第１のノッチに配設され、第２の突起が第２のノッチに配設される、ソール。
【請求項１２】
第１および第２の突起が、アウトソールの材料と同じ材料を備えている、請求項１１に記載の履物物品。
【請求項１３】
第１および第２の突起が、アウトソールの一体部分である、請求項１１に記載の履物物品。
【請求項１４】
第１および第２の突起がゴムポッドである、請求項１１に記載の履物物品。
【請求項１５】
第１および第２の突起が、アウトソールに挿入された別個の構成要素である、請求項１１に記載の履物物品。
【請求項１６】
第１および第２の突起が長手方向突起である、請求項１１に記載の履物物品。
【請求項１７】
第１および第２の突起が湾曲している、請求項１１に記載の履物物品。
【請求項１８】
アウトソールが複数の開口を定める、請求項１１に記載の履物物品。
【請求項１９】
第１および第２の突起が、アウトソールの上面にある２つの突起だけである、請求項１１に記載の履物物品。
【請求項２０】
第１および第２の突起、ならびに第１および第２のノッチを配置することによって、ソールの前足部横区分および後足部中央区分において、ソールに横方向安定性が付与される、請求項１１に記載の履物物品。
【発明の詳細な説明】
【技術分野】
【０００１】
関連出願の相互参照
本願は、２０１８年１月２２日に出願された「Article of Footwear with Ribbed Outsole and Notched Midsole」という名称の米国特許出願第１５／８７７，０８３号の一部継続出願であり、その開示は、参照によりその全体が本明細書に組み込まれる。
【０００２】
本発明の実施形態は、全般的に履物物品に関し、より具体的には、リブ付きアウトソールおよびノッチ入りミッドソールを有する履物物品に関する。
【背景技術】
【０００３】
履物物品は、着用者の歩くおよび／または走るという経験を向上させるために使用される。例えば、ソールは、歩行周期の踵からつま先への推移を向上させる緩衝性、支持、および安定性を提供することができる。所望の特性を実現するようにソールおよび履物物品を改善して着用者の経験を向上させることが、望ましい。
【発明の概要】
【課題を解決するための手段】
【０００４】
リブ付きアウトソールおよびノッチ入りミッドソールを有する履物物品が開示される。いくつかの実施形態では、履物物品のソールは、長手方向リブを有するアウトソールと、アウトソールの上方に配設され、ノッチを定める（define）ミッドソールとを含む。いくつかの実施形態では、長手方向リブは、ノッチ内に配設される。
【０００５】
いくつかの実施形態では、アウトソールは５つの長手方向リブを有している。いくつかの実施形態では、長手方向リブは、ソールの前足部領域に配設される。いくつかの実施形態では、長手方向リブは、ソールの中足部領域に配設される。いくつかの実施形態では、長手方向リブは、ソールの後足部領域に配設される。いくつかの実施形態では、長手方向リブは、互いに同じ長さを有している。いくつかの実施形態では、長手方向リブのうちの少なくとも１つは、別の長手方向リブとは異なった長さを有している。
【０００６】
いくつかの実施形態では、履物物品は、アッパーと、アッパーに結合された、底面にノッチを定めるミッドソールと、ミッドソールに結合された、上面から延在している長手方向リブを有するアウトソールとを含んでいる。いくつかの実施形態では、それぞれの長手方向リブは、ノッチのうちの１つに配設される。
【０００７】
いくつかの実施形態では、長手方向リブは、履物物品の前足部領域に配設される。いくつかの実施形態では、長手方向リブは、履物物品の前足部領域だけに配設される。いくつかの実施形態では、アウトソールの上面は、長手方向リブを除き平坦である。
【０００８】
いくつかの実施形態では、ノッチは相互連結されていない。いくつかの実施形態では、アウトソールの底面は、長手方向リブの反対側に位置付けられたいかなるノッチも定めていない。いくつかの実施形態では、ミッドソールの上面は、ノッチの反対側に位置付けられたいかなる長手方向リブも有していない。
【０００９】
いくつかの実施形態では、履物物品用ソールは、長手方向リブをその上面に有するアウトソールと、長手方向リブ上に相補的に嵌まるノッチを定めるミッドソールとを含んでいる。
【００１０】
いくつかの実施形態では、長手方向リブは、ソールの前足部領域に配設される。いくつかの実施形態では、ソールは、着用者の歩行サイクル中にソールの前足部へのより迅速な推移を促進する。いくつかの実施形態では、ノッチ内に配設された長手方向リブは、ソールを硬くする。いくつかの実施形態では、アウトソールは、アウトソールを貫通して延在している穴のパターンを定める。いくつかの実施形態では、穴は列に配設される。いくつかの実施形態では、穴の列は、長手方向リブ同士の間に配設される。
【００１１】
いくつかの実施形態では、履物物品用ソールは、アウトソールとミッドソールとを含む。いくつかの実施形態では、アウトソールは、アウトソールの前足部横区分に配設された第１の突起と、アウトソールの後足部中央区分に配設された第２の突起とを含んでいる。いくつかの実施形態では、第１および第２の突起はそれぞれ、アウトソールの上面で突出している。いくつかの実施形態では、ミッドソールは、アウトソールの上方に配設され、ミッドソールの前足部横区分に配設された第１のノッチと、ミッドソールの後足部中央区分に配設された第２のノッチとを定める。いくつかの実施形態では、第１の突起は第１のノッチに配設され、第２の突起は第２のノッチに配設される。
【００１２】
いくつかの実施形態では、第１および第２の突起は、アウトソールの材料と同じ材料を含んでいる。いくつかの実施形態では、第１および第２の突起は、アウトソールの一体部分である。いくつかの実施形態では、第１および第２の突起は、ゴムポッド（rubber pod）である。いくつかの実施形態では、第１および第２の突起は、アウトソールに挿入された別個の構成要素である。いくつかの実施形態では、第１および第２の突起は、長手方向突起である。いくつかの実施形態では、第１および第２の突起は湾曲している。いくつかの実施形態では、アウトソールは、複数の開口を定める。いくつかの実施形態では、第１および第２の突起は、アウトソールの上面にある２つの突起だけである。いくつかの実施形態では、第１および第２の突起、ならびに第１および第２のノッチを配置することによって、ソールの前足部横区分および後足部中央区分において、ソールに横方向安定性が付与される。
【００１３】
いくつかの実施形態では、履物物品は、アッパーと、アッパーに結合されたミッドソールと、ミッドソールに結合されたアウトソールとを含んでいる。いくつかの実施形態では、ミッドソールは、ミッドソールの前足部横区分に配設された第１のノッチと、ミッドソールの後足部中央区分に配設された第２のノッチとを定める。いくつかの実施形態では、アウトソールは、アウトソールの前足部横区分に配設された第１の突起と、アウトソールの後足部中央区分に配設された第２の突起とを含んでいる。いくつかの実施形態では、第１および第２の突起はそれぞれ、アウトソールの上面で突出している。いくつかの実施形態では、第１の突起は第１のノッチに配設され、第２の突起は第２のノッチに配設される。
【００１４】
いくつかの実施形態では、第１および第２の突起は、アウトソールの材料と同じ材料を含んでいる。いくつかの実施形態では、第１および第２の突起は、アウトソールの一体部分である。いくつかの実施形態では、第１および第２の突起は、ゴムポッドである。いくつかの実施形態では、第１および第２の突起は、アウトソールに挿入された別個の構成要素である。いくつかの実施形態では、第１および第２の突起は、長手方向突起である。いくつかの実施形態では、第１および第２の突起は湾曲している。いくつかの実施形態では、アウトソールは、複数の開口を定める。いくつかの実施形態では、第１および第２の突起は、アウトソールの上面にある２つの突起だけである。いくつかの実施形態では、第１および第２の突起、ならびに第１および第２のノッチを配置することによって、ソールの前足部横区分および後足部中央区分において、ソールに横方向安定性が付与される。
【００１５】
本発明は、以下の実施形態を含んでいる。
［１］履物物品用ソールであって、ソールが、
アウトソールであって、アウトソールの前足部横区分に配設された第１の突起と、アウトソールの後足部中央区分に配設された第２の突起とを備えており、第１および第２の突起がそれぞれ、アウトソールの上面で突出している、アウトソールと、
アウトソールの上方に配設されたミッドソールであって、ミッドソールの前足部横区分に配設された第１のノッチと、ミッドソールの後足部中央区分に配設された第２のノッチとを定めるミッドソールと、
を備えており、第１の突起が第１のノッチに配設され、第２の突起が第２のノッチに配設される、ソール。
［２］第１および第２の突起が、アウトソールの材料と同じ材料を備えている、［１］に記載のソール。
［３］第１および第２の突起が、アウトソールの一体部分である、［１］に記載のソール。
［４］第１および第２の突起がゴムポッドである、［１］に記載のソール。
［５］第１および第２の突起が、アウトソールに挿入された別個の構成要素である、［１］に記載のソール。
［６］第１および第２の突起が長手方向突起である、［１］に記載のソール。
［７］第１および第２の突起が湾曲している、［１］に記載のソール。
［８］アウトソールが複数の開口を定める、［１］に記載のソール。
［９］第１および第２の突起が、アウトソールの上面にある２つの突起だけである、［１］に記載のソール。
［１０］第１および第２の突起、ならびに第１および第２のノッチを配置することによって、ソールの前足部横区分および後足部中央区分において、ソールに横方向安定性が付与される、［１］に記載のソール。
［１１］履物物品であって、
アッパーと、
アッパーに結合されたミッドソールであって、ミッドソールの前足部横区分に配設された第１のノッチと、ミッドソールの後足部中央区分に配設された第２のノッチとを定めるミッドソールと、
ミッドソールに結合されたアウトソールであって、アウトソールの前足部横区分に配設された第１の突起と、アウトソールの後足部中央区分に配設された第２の突起とを備えており、第１および第２の突起がそれぞれ、アウトソールの上面で突出している、アウトソールと、
を備えており、第１の突起が第１のノッチに配設され、第２の突起が第２のノッチに配設される、ソール。
［１２］第１および第２の突起が、アウトソールの材料と同じ材料を備えている、［１１］に記載の履物物品。
［１３］第１および第２の突起が、アウトソールの一体部分である、［１１］に記載の履物物品。
［１４］第１および第２の突起がゴムポッドである、［１１］に記載の履物物品。
［１５］第１および第２の突起が、アウトソールに挿入された別個の構成要素である、［１１］に記載の履物物品。
［１６］第１および第２の突起が長手方向突起である、［１１］に記載の履物物品。
［１７］第１および第２の突起が湾曲している、［１１］に記載の履物物品。
［１８］アウトソールが複数の開口を定める、［１１］に記載の履物物品。
［１９］第１および第２の突起が、アウトソールの上面にある２つの突起だけである、［１１］に記載の履物物品。
［２０］第１および第２の突起、ならびに第１および第２のノッチを配置することによって、ソールの前足部横区分および後足部中央区分において、ソールに横方向安定性が付与される、［１１］に記載の履物物品。
【図面の簡単な説明】
【００１６】
本明細書に組み込まれ、本明細書の一部を成す添付図面は、本発明を図解するものであり、記述とともに、さらに本発明の原理を説明し、当業者が本発明を作製および使用することを可能にする役割を果たす。
【図１】いくつかの実施形態による履物物品の側面図である。
【図２】いくつかの実施形態による履物物品用ソールの分解斜視図である。
【図３】いくつかの実施形態による履物物品用アウトソールの上面図である。
【図４】いくつかの実施形態による履物物品用アウトソールの一部分の斜視図である。
【図５】いくつかの実施形態による履物物品用アウトソールの一部分の斜視図である。
【図６】いくつかの実施形態による履物物品用ミッドソールの斜視図である。
【図７】いくつかの実施形態による履物物品用ミッドソールの一部分の斜視図である。
【図８】いくつかの実施形態による履物物品用アウトソールの一部分の底面図である。
【図９】いくつかの実施形態による履物物品用ミッドソールの底面図である。
【図１０】いくつかの実施形態による履物物品用ミッドソールの底面図である。
【図１１】いくつかの実施形態による履物物品用ソールの分解斜視図である。
【図１２】いくつかの実施形態による履物物品用アウトソールの上面図である。
【図１３】いくつかの実施形態による履物物品用ソールの底面図である。
【図１４】いくつかの実施形態による履物物品用ソールの分解斜視図である。
【図１５】図１３の１５−１５’線に沿った図１３のソールの断面図である。
【図１６】１６−１６’線に沿った図１３のソールの断面図である。
【発明を実施するための形態】
【００１７】
本発明は、添付図面で図解されているようなその実施形態を参照しながらここで詳細に記述され、図面では、同じまたは機能的に類似した要素を示すために同様の参照符号が使用される。「一実施形態」、「ある実施形態」、「例示的な実施形態」などという言及は、記述された実施形態が特定の特徴、構造、または特性を含むかもしれないが、すべての実施形態が必ずしもそれらの特定の特徴、構造、または特性を含んでいるとは限らないことを示している。さらに、そのような語句は必ずしも同じ実施形態を指しているとは限らない。さらに特定の特徴、構造、または特性が、ある実施形態に関連して記述されているとき、明確に記述されているか否かに関わらず、他の実施形態と関連して、そのような特定の特徴、構造、または特性に影響を与えることを、当業者が理解していると考えられる。
【００１８】
本明細書で使用される場合、「発明」または「本発明」という用語は、非限定的な用語であり、特定の発明のいかなる単一の実施形態を指すのではなく、本明細書に記述されるようなすべての考えられる実施形態を包含することが意図されている。
【００１９】
以下の例は、本発明を図解するものであるが、限定するものではない。当分野で通常遭遇する、当業者には明白な様々な条件およびパラメータの他の好適な修正および適応は、本発明の趣旨および範囲内にある。
【００２０】
本発明の実施形態は、リブ付きアウトソールおよびノッチ入りミッドソールを有する履物物品を提供する。リブ付きアウトソールおよびノッチ入りミッドソールは、足の１つまたは複数の領域において、調整された屈曲性および剛性を実現する。アウトソールは、アウトソールの１つまたは複数の領域に複数の長手方向リブを備えている。いくつかの実施形態では、長手方向リブは、アウトソールの上面に配設される。
【００２１】
ミッドソールは、長手方向リブを受けるように構成された複数のノッチを定める。いくつかの実施形態では、ミッドソールはアウトソールの上方に配設され、ノッチはミッドソールの底面に配設される。
【００２２】
ノッチとリブの相互作用によって、ノットとリブが位置付けられた領域（例えば、足の中足骨指骨関節（ＭＴＰ）下の中足部から前足部の領域）でソール（例えば、アウトソールおよび／またはミッドソール）を硬くすることができる。いくつかの実施形態では、ミッドソールの材料容積をアウトソールの材料容積に入れ替える（すなわち、リブおよびノッチを加える）ことによって、アウトソールを硬くすることができる。いくつかの実施形態では、ノッチとリブの相互作用によって、ミッドソールを間接的に硬くすることができる。ノッチおよびリブは、揺れ（すなわち後ろから前への）を容易にする形状を作り出すこともできる。したがって履物物品は、前足部へのより迅速な推移を促進し、それにより着用者の動きの推進相を強化することができる。ノッチおよびリブを用いて調整された屈曲性および剛性を実現するソールは、作製および製造が容易であり、特定の着用者に合わせてカスタマイズおよび／または調整するのも容易である。
【００２３】
いくつかの実施形態では、例えば図１に示されているように履物物品１０は、前足部領域１２、中足部領域１４、および後足部領域１６を備えている。履物物品１０は、アッパー１８を備えていてもよい。任意の好適なアッパーが、アッパー１８として使用されてもよい。履物物品１０は、ミッドソール２０およびアウトソール３０を含むソール１９を備えている。いくつかの実施形態では、アッパー１８はミッドソール２０に結合されている。例えばアッパー１８は、ミッドソール２０に縫い付け、付着、または接着されてもよい。いくつかの実施形態では、ミッドソール２０はアウトソール３０に結合される。例えば、ミッドソール２０はアウトソール３０に直接付着されてもよい。あるいは、ミッドソール２０はアウトソール３０に接着剤で接着されてもよい。いくつかの実施形態では、ミッドソール２０は、熱可塑性ポリウレタン発泡粒子（ｅ−ＴＰＵ）から作られる。
【００２４】
いくつかの実施形態では、ミッドソール２０は、例えば図２に示されているように、アウトソール３０の上方に配設される。アウトソール３０の上面３４は、ミッドソール２０の底面２６に対応していてもよい。例えば、アウトソール３０は、上面３４から延在している１つまたは複数の構造部を含んでいてもよく、ミッドソール２０は、その構造部に対応した１つまたは複数の空所を、底面２６に定めてもよい。
【００２５】
いくつかの実施形態では、アウトソール３０は、上面３４から延在している長手方向リブ３２を備えている。長手方向リブ３２は、長手方向リブ３２の幅よりも長手方向リブ３２の長さが大きくなるように、履物物品１０の長手方向に延在している。いくつかの実施形態では、長手方向リブ３２は、その長さに沿って変化している高さを有している（図５を参照）。例えば、長手方向リブ３２の上面は、長手方向リブ３２の長さの中心、またはほぼ中心で長手方向リブ３２の高さが最大になり、長手方向リブ３２の端部のアウトソール３０の上面３４に向かって徐々に下向きに延在した状態で、湾曲していてもよい。いくつかの実施形態では、長手方向リブ３２の上面は、ドーム状であってもよい。この構成は、前足部へのより迅速な推移を促進する揺れ機能に寄与することができ、それにより着用者の動きの推進相が強化される。例えば、長手方向リブ３２の湾曲した形状は、推進時つま先離地（propulsive toe-off）に向かう前足部の推移が生じる場所であるＭＴＰ関節の下に長手方向リブ３２が正確に位置付けられたときに、最小の態様でより迅速な足の転がりを支持する。いくつかの実施形態では、長手方向リブ３２は、ミッドソール２０（例えばｅ−ＴＰＵミッドソール）よりも高硬度を有し、長手方向リブ３２の湾曲とあいまって、「ミニ」揺り子が形成されてもよい。揺り子は、その不安定な湾曲の頂点から、より中立の（静止）位置への変位を自然に促進し、したがって、着用者がつま先離地相になるのを補助する。他の形状および高さを、長手方向リブ３２に使用することも可能である。
【００２６】
長手方向リブ３２は、アウトソール３０の上面３４の様々なロケーションに配設されてもよい。いくつかの実施形態では、長手方向リブ３２は、中足部領域１４に配設される。いくつかの実施形態では、長手方向リブ３２は、前足部領域１２に配設される。長手方向リブ３２は、中足部領域１４から前足部領域１２に延在してもよい。例えば、長手方向リブ３２は、足の中足骨指骨関節（ＭＴＰ）の下に配設されてもよい。いくつかの実施形態では、長手方向リブ３２は、前足部領域１２だけに配設される。いくつかの実施形態では、長手方向リブ３２は、複数の領域に別々に配設される。例えば、長手方向リブ３２の第１のセットが中足部領域１４に配設され、長手方向リブ３２の第２のセットが後足部領域１６に配設されてもよい。他の構成も可能である。例えば、いくつかの実施形態では、アウトソール３０は斜め方向リブおよび／または横断方向リブを含んでいてもよい。そのような斜め方向のリブおよび／または横断方向のリブは、前足部領域１２、中足部領域１４、および／または後足部領域１６に位置付けられてもよい。斜め方向リブおよび／または横断方向リブは、以下で検討するように、図９および図１０に示されているノッチに対応していてもよい。いくつかの実施形態では、長手方向リブ３２は、後足部領域１６から前足部領域１２に延在している。
【００２７】
いくつかの実施形態では、長手方向リブ３２は、互いに平行に配設される。長手方向リブ３２のセットは、例えば図３に示されているように、（例えば中足部領域１４および／または前足部領域１２の）アウトソール３０の幅にわたって、互いに離間して配設されてもよい。いくつかの実施形態では、アウトソール３０は、少なくとも３つの長手方向リブ３２を含んでいる。例えば図３〜図５に示されているように、アウトソール３０は、５つの長手方向リブ３２を含んでいる。異なる数の長手方向リブ３２が使用されてもよい（例えば、２つ、４つ、または５つ以上）。いくつかの実施形態では、長手方向リブ３２が前足部領域１２の幅にわたって分散していることによって、圧縮および荷重中に、ミッドソール２０の横断方向への変位を抑制しやすくなる。例えば、長手方向リブ３２は、ミッドソール２０の底面をより狭いエリアに区分けして、横断方向への移動および変位を制限してもよい。いくつかの実施形態では、ソールにわたるミッドソールの横断方向の移動および変位をいく分か制限することによって、曲線走時、突然の方向変換（カット）時、または横方向の急ブレーキ時に、足の安定性を向上させやすくなる。
【００２８】
いくつかの実施形態では、長手方向リブ３２は、それぞれが同じ長さを有する。あるいは、長手方向リブ３２は、互いに異なる長さを有してもよい。いくつかの実施形態では、長手方向リブ３２の端部は、履物物品１０の長手方向に沿って互いに位置合わせされている。いくつかの実施形態では、長手方向リブ３２の端部は、位置合わせされていなくてもよい（図３を参照）。
【００２９】
いくつかの実施形態では、長手方向リブ３２は、アウトソール３０と１つの一体構造部分である。したがって、長手方向リブ３２は、アウトソール３０とともに一体成形されてもよい。したがって、リブ付きアウトソール３０は製造が容易である。
【００３０】
いくつかの実施形態では、アウトソール３０の上面３４は、長手方向リブ３２を除き平坦である。例えば長手方向リブ３２は、（例えば横断方向リブまたは他の突出構造によって）相互連結されていない。いくつかの実施形態では、アウトソール３０の底面３６は、長手方向リブ３２の反対側に位置付けられたいかなるノッチも定めていない。
【００３１】
いくつかの実施形態では、アウトソール３０は、例えば図３〜図５に示されているように、アウトソール３０を貫通して延在している穴３８のパターンを定める。穴３８は列に配設されてもよい。例えば、穴３８の列は、長手方向リブ３２同士の間に配設されてもよい。いくつかの実施形態では、穴３８はサイズおよび形状が異なっている。穴３８は、例えば円形、正方形、矩形、または楕円形であってもよい。
【００３２】
いくつかの実施形態では、ミッドソール２０は、例えば図２、図６、および図７に示されているように、長手方向リブ３２に対応したノッチ２２を、ミッドソール２０の底面２６に定める。ノッチ２２は、長手方向リブ３２上に相補的に嵌まるように構成される。したがって、履物物品１０が完全に組み立てられたとき（図１を参照）、長手方向リブ３２はノッチ２２内に配設される。いくつかの実施形態では、長手方向リブ３２はノッチ２２を完全に満たす。いくつかの実施形態では、ノッチ２２に配設された長手方向リブ３２によって、ソールアセンブリ（例えばアウトソール３０および／またはミッドソール２０）を硬くする。いくつかの実施形態では、リブ３２とノッチ２２を加えることによってアウトソールが硬くなることから、ノッチ２２とリブ３２の相互作用は、ソールアセンブリ全体を硬くすることができる。いくつかの実施形態では、ミッドソール２０は間接的に硬くされてもよい。長手方向リブ３２がＭＴＰ関節の下に位置付けられたとき、相補的なノッチ２２によって、（着用者の歩行の）長手方向へのさらなる伸び抵抗が提供され、それにより中足骨関節における足靭帯の機能を補助する。長手方向リブ３２があると、ミッドソール２０の緩衝性が柔らかく快適になり得、一方でアウトソール３０は、歩行の推進相中に（伸びに抵抗することによって）、長手方向リブ３２がない場合よりも多くのエネルギーを蓄え、戻す。アウトソール３０を硬くすることによって、着用者はそれにより早く走ることができる。ソール１９は、着用者の歩行サイクル中に前足部へのより迅速な推移を促進するように構成されてもよい。
【００３３】
いくつかの実施形態では、ノッチ２２は、ノッチ２２の幅よりもノッチ２２の長さが大きくなるように、履物物品１０の長手方向に延在している。いくつかの実施形態では、ノッチ２２は、その長さに沿って変化している深さを有している（図７を参照）。例えば、ノッチ２２の表面は、ノッチ２２の長さの中心、またはほぼ中心でノッチ２２の深さが最大になり、ノッチ２２の端部のミッドソール２０の底面２６に向かって徐々に下向きに延在した状態で、湾曲していてもよい。この構成は、前足部へのより迅速な推移を促進する揺れ機能に寄与することができ、それにより着用者の動きの推進相が強化される。例えば、湾曲した形状によって、長手方向リブ３２に関して上記で検討したように、より迅速な足の揺れが支持される。他の形状および深さを、ノッチ２２に使用することも可能である。
【００３４】
ノッチ２２は、ミッドソール２０の底面２６の様々なロケーションに配設されてもよい。いくつかの実施形態では、ノッチ２２は、中足部領域１４に配設される。いくつかの実施形態では、ノッチ２２は、前足部領域１２に配設される。ノッチ２２は、中足部領域１４から前足部領域１２に延在してもよい。いくつかの実施形態では、ノッチ２２は、前足部領域１２だけに配設される。いくつかの実施形態では、ノッチ２２は、複数の領域に別々に配設される。例えば、ノッチ２２の第１のセットが中足部領域１４に配設され、ノッチ２２の第２のセットが後足部領域１６に配設されてもよい。他の構成も可能である。例えば、いくつかの実施形態では、図９に示されているように、ミッドソール１２０は、斜め方向ノッチ１２３と長手方向ノッチ１２２の組合せを含んでいる。いくつかの実施形態では、斜め方向ノッチ１２３は、図９に示されているように、前足部領域および／または後足部領域に配設されてもよい。斜め方向ノッチ１２３は、中足部領域にも配設されてよい。いくつかの実施形態では、長手方向ノッチ１２２は、斜め方向ノッチ１２３とともに後足部領域に配設されてもよい。いくつかの実施形態では、例えば図１０に示されているように、ミッドソール２２０は、横断方向ノッチ２２３を含んでいる。いくつかの実施形態では、横断方向ノッチ２２３は、前足部領域に配設される。そのような横断方向ノッチ２２３は、同じくもしくは代替的に、中足部領域および／または後足部領域に位置付けられてもよい。斜め方向ノッチ１２３、長手方向ノッチ１２２は、および横断方向ノッチ２２３の任意の組合せがミッドソールに配設され、それらに対応したリブがアウトソールに配設されてもよい。いくつかの実施形態では、ノッチ２２は、後足部領域１６から前足部領域１２に延在している。
【００３５】
いくつかの実施形態では、ノッチ２２は、互いに平行に配設される。ノッチ２２のセットは、例えば図６および図７に示されているように、（例えば中足部領域１４および／または前足部領域１２の）ミッドソール３０の幅にわたって、互いに離間して配設されてもよい。いくつかの実施形態では、ミッドソール２０は、少なくとも３つのノッチ２２を含んでいる。例えば図６および図７に示されているように、ミッドソール２０は、５つのノッチ２２を含んでいる。異なる数のノッチ２２が使用されてもよい（例えば、２つ、４つ、または５つ以上）。
【００３６】
いくつかの実施形態では、ノッチ２２は、それぞれが同じ長さを有する。あるいは、ノッチ２２は、互いに異なる長さを有してもよい。いくつかの実施形態では、ノッチ２２の端部は、履物物品１０の長手方向に沿って互いに位置合わせされている。いくつかの実施形態では、ノッチ２２の端部は、位置合わせされていなくてもよい。
【００３７】
いくつかの実施形態では、ノッチ２２は、ミッドソール２０の成形プロセス中に形成され、それにより履物物品１０の容易な製造が促進される。
【００３８】
いくつかの実施形態では、ミッドソール２０の底面２６は、ノッチ２２を除き平坦である。例えばノッチ２２は、（例えば横断方向ノッチによって）相互連結されていない。いくつかの実施形態では、ミッドソール２０の上面２４は、ノッチ２２の反対側に位置付けられた長手方向リブを有していない。
【００３９】
いくつかの実施形態では、例えば図８に示されているように、アウトソール３０は、底面３６から延在している突出部４０を備えている。突出部４０は１つまたは複数の列に配設されてもよい。いくつかの実施形態では、突出部４０の列は、穴３８の列同士の間に配設される。いくつかの実施形態では、突出部４０は、突出部４０の接地面に配設された複数の溝４２を定めており、それにより、履物物品１０の牽引力を増大させることができる。いくつかの実施形態では、それぞれの列の突出部４０は、アウトソール３０の底面３６から延在している連結部材４４で連結されている。いくつかの実施形態では、連結部材４４は、長手方向のより大きい伸び抵抗を提供することによって、アウトソールを硬くすることに寄与する。いくつかの実施形態では、連結部材４４によって、アウトソール３０は、歩行の推進相中に（伸びに抵抗することによって）、連結部材４４がない場合よりも多くのエネルギーを蓄え、戻しやすくなる。アウトソール３０を硬くすることによって、着用者はそれにより早く走ることができる。
【００４０】
いくつかの実施形態では、履物物品１０は、特に多方向ランニング中に、履物物品１０の緩衝性の過剰側方化（または漏れ）を防止しやすくするように構成される。いくつかの実施形態では、履物物品１０用のソールに、動的バンキング（dynamic banking）の突起のセットが含まれている。動的バンキングの突起は、足の中央および側方区分において追加的な横方向の安定性および支持を提供することができ、それにより、多方向ランニング中に過剰側方化または漏れを起こすいかなる傾向にも反作用する。
【００４１】
例えば、履物物品１０は、例えば図１１に示されているようなソール３１９に結合されるアッパー１８（図１に示されているような）を含んでいてもよい。いくつかの実施形態では、ソール３１９は、ミッドソール３２０およびアウトソール３３０を含んでいる。ソール３１９（ミッドソール３２０およびアウトソール３３０を含む）は、前足部領域３１２、中足部領域３１４、および後足部領域３１６を含んでいてもよい。ソール３１９（ミッドソール３２０およびアウトソール３３０を含む）は、横側３１１および中央側３１３を含んでいてもよい。いくつかの実施形態では、ソール３１９は、平坦であっても、部分的に湾曲していてもよい。
【００４２】
いくつかの実施形態では、アッパー１８はミッドソール３２０に結合される。例えばアッパー１８は、ミッドソール３２０に縫い付け、付着、または接着されてもよい。いくつかの実施形態では、ミッドソール３２０はアウトソール３３０に結合される。例えば、ミッドソール３２０はアウトソール３３０に直接付着されてもよい。あるいは、ミッドソール３２０はアウトソール３３０に接着剤で接着されてもよい。いくつかの実施形態では、ミッドソール３２０は、熱可塑性ポリウレタン発泡粒子（ｅ−ＴＰＵ）から作られる。
【００４３】
いくつかの実施形態では、ミッドソール３２０は、例えば図１１に示されているように、アウトソール３３０上方に配設される。アウトソール３３０の上面３３４は、ミッドソール３２０の底面３２６に対応していてもよい。例えば、アウトソール３３０は、上面３３４から延在している１つまたは複数の構造部を含んでいてもよく、ミッドソール３２０は、その構造部に対応した１つまたは複数の空所を、底面３２６に定めてもよい。
【００４４】
いくつかの実施形態では、アウトソール３３０は、例えば図１１〜図１３に示されているように、１つまたは複数の突起を備えている。例えば、アウトソール３３０は第１の突起３３２および第２の突起３３３を含んでいてもよい。いくつかの実施形態では、第１の突起３３２および第２の突起３３３は、それぞれアウトソール３３０の上面３３４上に突出している（図１１を参照）。いくつかの実施形態では、第１の突起３３２および第２の突起３３３は、追加的な横方向安定性および支持をソール３１９に提供する。いくつかの実施形態では、第１の突起３３２および第２の突起３３３は、横方向安定性を加えることによって、多方向ランニング中に過剰側方化を着用者が回避しやすくなるように構成された動的バンキングの突起である。
【００４５】
いくつかの実施形態では、第１の突起３３２は、アウトソール３３０の前足部横区分（すなわち横側３１１の前足部領域３１２）に配設される。第１の突起３３２がこのロケーションにあることによって、特に多方向ランニング中に過剰側方化または漏れを防止しやすくすることができる。その代りに、いくつかの実施形態では、第１の突起３３２は、前足部中央区分に配設され（または、前足部中央区分に追加的な突起が配設されてもよく）、それにより歩行サイクル中に着用者が過剰回内を防止しやすくすることができる。いくつかの実施形態では、第２の突起３３３は、アウトソール３３０の後足部中央区分（すなわち中央側３１３の後足部領域３１６）に配設される。第２の突起３３３がこのロケーションにあることによって、多方向ランニング中に過剰側方化を防止しやすくすることができる。
【００４６】
いくつかの実施形態では、第１の突起３３２および第２の突起３３３は、アウトソール３３０材料と同じ材料を備えている。いくつかの実施形態では、第１の突起３３２および第２の突起３３３は、アウトソール３３０と１つの一体構造部分である。したがって、第１の突起３３２および第２の突起３３３は、アウトソール３３０の一体部分であってもよい。例えば、第１の突起３３２および第２の突起３３３は、アウトソール３３０と一体成形されてもよく、それによりアウトソール３３０を製造しやすくすることができる。
【００４７】
いくつかの実施形態では、第１の突起３３２および第２の突起３３３は、アウトソール３３０の材料とは異なる材料を備えている。いくつかの実施形態では、第１の突起３３２および第２の突起３３３は、第１の突起３３２および第２の突起３３３の材料がアウトソール３３０の材料と異なっているかどうかに関わらず、アウトソール３３０に挿入された別個の構成要素である。いくつかの実施形態では、第１の突起３３２および第２の突起３３３は、ポッドである。例えば、第１の突起３３２および第２の突起３３３は、ゴムポッドであってもよい。ポリマー、ポリウレタン、熱可塑性ポリマー、熱可塑性ポリウレタン、シリコ―ン、発泡体、または同様の材料などの他の材料が、第１の突起３３２および第２の突起３３３に（ポッドとしてまたは他の形態で）使用されてもよい。いくつかの実施形態では、第１の突起３３２は、第２の突起３３３とは異なっていてもよい。例えば、第１の突起３３２は、第２の突起３３３とは異なる材料であってもよい。いくつかの実施形態では、第１の突起３３２は、アウトソール３３０に挿入されたゴムから作られた別個の構成要素であってもよく、第２の突起３３３は、アウトソール３３０の一体部分として一体成形されてもよい。他の変形形態も使用することができる。
【００４８】
いくつかの実施形態では、第１の突起３３２および第２の突起３３３は、長手方向突起である。例えば、第１の突起３３２および第２の突起３３３は、横断方向の第１の突起３３２および第２の突起３３３の幅よりも、長手方向の第１の突起３３２および第２の突起３３３長さが大きくなるように、履物物品１０の長手方向に延在していてもよい。いくつかの実施形態では、第１の突起３３２および／または第２の突起３３３は、例えば図１３に示されているように、湾曲している。いくつかの実施形態では、第１の突起３３２および／または第２の突起３３３の形状は、アウトソール３３０の隣接した縁部の輪郭に沿っていてもよい。
【００４９】
いくつかの実施形態では、第１の突起３３２および第２の突起３３３は、アウトソール３３０の上面３３４上にある２つの突起だけである。いくつかの実施形態では、アウトソール３３０の上面３３４は、第１の突起３３２および第２の突起３３３を除き平坦である。いくつかの実施形態では、アウトソール３３０の底面３３６は、第１の突起３３２および第２の突起３３３の反対側に位置付けられたいかなるノッチも定めていない。いくつかの実施形態では、第１の突起３３２および第２の突起３３３は、第１の突起３３２および第２の突起３３３が、アウトソール３３０の底面３３６で見えるように、アウトソール３３０を貫通して延在している。第１の突起３３２および第２の突起３３３は、アウトソール３３０の底面３３６と同一平面上にあってもよく、または第１の突起３３２および第２の突起３３３は、底面３３６の下に延在していてもよい。
【００５０】
いくつかの実施形態では、アウトソール３３０は、アウトソール３３０を貫通して延在している複数の開口３３８を備えている（図１１〜図１３を参照）。いくつかの実施形態では、開口３３８は列に配設されてもよい。いくつかの実施形態では、開口３３８はサイズおよび形状が異なっている。開口３３８は、例えば円形、正方形、矩形、楕円形、または何らかの他の形状であってもよい。
【００５１】
いくつかの実施形態では、ミッドソール３２０は、例えば図１４に示されているように、アウトソール３３０の１つまたは複数の突起に対応した１つまたは複数のノッチを定める。１つまたは複数のノッチは、１つまたは複数の突起上に相補的に嵌まるように構成される。例えば、ミッドソール３２０は第１のノッチ３２２および第２のノッチ３２３を定めてもよい。いくつかの実施形態では、第１のノッチ３２２は、ミッドソール３２０の前足部横区分（すなわち横側３１１の前足部領域３１２）に配設される。いくつかの実施形態では、第２のノッチ３２３は、ミッドソール３２０の後足部中央区分（すなわち中央側３１３の後足部領域３１６）に配設される。いくつかの実施形態では、ノッチ３２２、３２３の役割は、突起２２２、２２３が嵌まる（または満たす、着座する）ことを可能にし、それらが位置付けられたエリアにおいてミッドソール３２０の移動を制限することである。
【００５２】
いくつかの実施形態では、ミッドソール３２０の底面３２６は、第１のノッチ３２２および第２のノッチ３２３を除き平坦である。いくつかの実施形態では、ミッドソール３２０の上面３２４は、第１のノッチ３２２および第２のノッチ３２３の反対側に位置付けられた突起を有していない。
【００５３】
いくつかの実施形態では、第１のノッチ３２２および第２のノッチ３２３は、ミッドソール３２０の成形プロセス中に形成され、それにより履物物品１０の容易な製造が促進される。
【００５４】
いくつかの実施形態では、ミッドソール３２０の１つまたは複数のノッチは、アウトソール３３０の１つまたは複数の突起に対応している。第１の突起３３２は、例えば図１５に示されているように、第１のノッチ３２２に配設されていてもよい。第２の突起３３３は、例えば図１６に示されているように、第２のノッチ３２３に配設されてもよい。いくつかの実施形態では、第１の突起３３２および第２の突起３３３は、それぞれノッチ３２２と３２３を完全に満たす（図１５および図１６を参照）。第１の突起３３２を第１のノッチ３２２に配置することによって、ソール３１９の前足部横区分（すなわち横側３１１の前足部領域３１２）において、ソール３１９に横方向の安定性を加えることができる。第２の突起３３３を第２のノッチ３２３に配置することによって、ソール３１９の後足部中央区分（すなわち中央側３１３の後足部領域３１６）において、ソール３１９に横方向の安定性を加えることができる。ソール３１９のこの追加的な横方向の安定性によって、特に多方向ランニング中に、着用者が過剰側方化を防止しやすくすることができる。ソール３１９の配置は、突然の方向変換、または横方向カット時など、曲線的な態様で走っているときに、着用者の足３０５の過度な転がりを防止しやすくすることができる。例えば、第１の突起３３２および第１のノッチ３２２により生じる追加的な横方向安定性によって、着用者の足３０５が、第１の突起３３２および第１のノッチ３２２のロケーションを超えて転がることを防止しやすくなる。同様に、第２の突起３３３および第２のノッチ３２３により生じる追加的な横方向安定性によって、着用者の足３０５が、第２の突起３３３および第２のノッチ３２３のロケーションを超えて転がることを防止しやすくなる。
【００５５】
ソール３１９は、明確に記述されていなくても、ソール１９と同様の特徴を有してもよい。例えば、アウトソール３３０の突起は、長手方向リブ３２と同じまたは同様の特徴を持っていてもよい。別の例として、ミッドソール３２０のノッチは、ノッチ２２と同じまたは同様の特徴を持っていてもよい。いくつかの実施形態では、アウトソールは、長手方向リブ３２、第１の突起３３２、および第２の突起３３３を含んでいてもよい。いくつかの実施形態では、ミッドソールは、第１のノッチ３２２および第２のノッチ３２３を含んでいてもよい。
【００５６】
本明細書に記述された様々な実施形態は、リブ付きアウトソールおよびノッチ入りミッドソールを有する履物物品を提供する。ノッチとリブの相互作用は、ノッチおよびリブが位置付けられ、揺れ（すなわち後ろから前への）を促進する形状を作り出す領域において、ソール（例えばアウトソール３０および／またはミッドソール２０）を硬くすることができる。したがって履物物品は、前足部へのより迅速な推移を促進し、それにより着用者の動きの推進相を強化することができる。それに加えて、アウトソールの幅にわたってリブを分散させることは、ミッドソール底面を狭いエリアに区分けすることによって、圧縮および荷重中に、ミッドソールの横断方向への変位を抑制しやすくすることができる。ソールにわたるミッドソールの横断方向の移動および変位をいく分か制限することによって、曲線走時、突然の方向変換（カット）時、または横方向の急ブレーキ時に足の安定性を向上させやすくなる。ノッチおよびリブを用いて調整された屈曲性および剛性を実現するソールは、作製および製造が容易であり、特定の着用者に合わせてカスタマイズおよび／または調整するのも容易であり得る。本明細書に記述された様々な実施形態は、動的バンキングの突起を含むアウトソール、およびそれに対応したノッチを有するミッドソールを有する履物物品も提供する。突起およびノッチは、ソールに横方向安定性を加え、過剰側方化を低減し、それにより、着用者が突然方向変更するとき、または曲線的な態様で移動するときに、着用者を補償しやすくする。
【００５７】
特徴の実施形態の上記の記述は、本発明の全体的性質を十分明らかにしているので、当業者の知識を適用することにより、他の人は、不適当な実験をすることなく、本発明の全体的な概念から逸脱することなく、そのような特定の態様を様々な用途に合わせて容易に修正する、および／または適合させることができる。したがって、そのような適合および修正は、本明細書において提示された教示および案内に基づき、開示された実施形態の同等物の意味および範囲に含まれることが意図される。本明細書における語法または用語は、説明を目的としたものであり、限定するものではなく、したがって本明細書の用語または語法は、教示および案内に鑑み、当業者によって解釈されることが、理解されるべきである。
【００５８】
本発明の広さおよび範囲は、上述した例示的な実施形態のいずれによっても限定されるべきではなく、以下の特許請求の範囲およびそれらの等価物だけに従って定義されるべきである。
【符号の説明】
【００５９】
１０  履物物品
１２  前足部領域
１４  中足部領域
１６  後足部領域
１８  アッパー
１９  ソール
２０  ミッドソール
２２  ノッチ
２４  ミッドソールの上面
２６  ミッドソールの底面
３０  アウトソール
３２  長手方向リブ
３４  アウトソールの上面
３６  アウトソールの底面
３８  穴
４０  突出部
１２０  ミッドソール
１２２  長手方向ノッチ
１２３  斜め方向ノッチ
２２０  ミッドソール
２２３  横断方向ノッチ
３０５  着用者の足
３１１  横側
３１２  前足部領域
３１３  中央側
３１４  中足部領域
３１６  後足部領域
３１９  ソール
３２０  ミッドソール
３２２  第１のノッチ
３２３  第２のノッチ
３２４  ミッドソールの上面
３３０  アウトソール
３３２  第１の突起
３３３  第２の突起
３３４  アウトソールの上面
３３６  アウトソールの底面
３３８  開口
【図１】
2019130304.tif 000002
【図２】
2019130304.tif 000003
【図３】
2019130304.tif 000004
【図４】
2019130304.tif 000005
【図５】
2019130304.tif 000006
【図６】
2019130304.tif 000007
【図７】
2019130304.tif 000008
【図８】
2019130304.tif 000009
【図９】
2019130304.tif 000010
【図１０】
2019130304.tif 000011
【図１１】
2019130304.tif 000012
【図１２】
2019130304.tif 000013
【図１３】
2019130304.tif 000014
【図１４】
2019130304.tif 000015
【図１５】
2019130304.tif 000016
【図１６】
2019130304.tif 000017
【外国語明細書】
2019130304000001.pdf